(57)【要約】【課題】球送り部材が誤って揺動することを防止し、電磁石による磁気吸引力を小さくでき、円滑に球送り部材を揺動させることができる遊技機における整流器を提供すること。【解決手段】パチンコ遊技機１における整流器４は、球導入口４１１と球排出口４１２とを連通する整流通路４１、遊技球７を球排出口４１２へ送り出す球送り部材４２及び球送り部材４２を揺動させる電磁石４３を有している。球送り部材４２は、整流通路４１の底面の一部を形成する通路形成部４２１を有しており、通路形成部４２１は、遊技球７の流下を阻止する球待機面４２２と、段差部４２３を介して、球待機面４２２よりも低い位置に形成された送出面４２４とを有している。球送り部材４２は、揺動支点軸部４２９の軸方向をパチンコ遊技機１の前後方向に向けて整流器４内に配設されており、電磁石４３は、球送り部材４２の金属板４２５に対して略水平方向に対向配設されている。【選択図】図１
2005334152.tif 000002
【特許請求の範囲】
【請求項１】
遊技球を貯留する球皿部から、遊技盤における遊技領域に向けて遊技球を発射させる球発射部へ、１球ずつ遊技球を供給するよう構成された遊技機における整流器であって、
該整流器は、上記球皿部から遊技球を導入するための球導入口と、上記球発射部へ遊技球を排出するための球排出口とを連通する整流通路と、
上記球導入口から導入された遊技球を受け取るための受取位置と、上記球排出口へ遊技球を送り出すための送出位置との間を揺動するよう構成された球送り部材と、
該球送り部材を揺動させるための電磁石とを有しており、
上記球送り部材は、上記揺動の支点となる揺動支点軸部と、上記整流通路の一部を形成する通路形成部とを有しており、該通路形成部は、上記球導入口から導入された遊技球の流下を、上記整流通路に形成された流下規制部と共に阻止する球待機面と、段差部を介して、上記球待機面よりも低い位置に形成された送出面とを有しており、
かつ、上記球送り部材は、上記揺動支点軸部の軸方向を、上記遊技機の前後方向に向けて上記整流器内に配設されていると共に、当該球送り部材の揺動方向に面した側面に磁性体を配設してなり、一方、上記電磁石は、上記磁性体に対して略水平方向に対向配設されていることを特徴とする遊技機における整流器。
【請求項２】
請求項１において、上記球送り部材の上記通路形成部は、上記整流通路の底面の一部を形成するよう構成されており、
上記整流通路の上記流下規制部は、上記球送り部材の上記通路形成部の上方に対向形成されていることを特徴とする遊技機における整流器。
【請求項３】
請求項１又は２において、上記整流通路の上記流下規制部は、上記球送り部材が上記受取位置にあるときには、上記送出面との間の最短距離が遊技球の直径よりも小さくなると共に、上記球待機面との間の最短距離が遊技球の直径よりも大きくなる位置であって、
上記球送り部材が上記送出位置にあるときには、上記送出面との間の最短距離が遊技球の直径よりも大きくなると共に、上記球待機面との間の最短距離が遊技球の直径よりも小さくなる位置に形成されていることを特徴とする遊技機における整流器。
【請求項４】
請求項１〜３のいずれか一項において、上記球待機面と上記送出面との間に形成された上記段差部の高低差は、遊技球の直径の１／２以下であることを特徴とする遊技機における整流器。
【発明の詳細な説明】
【技術分野】
【０００１】
本発明は、遊技機の遊技盤における遊技領域に向けて遊技球を発射させる球発射部へ、１球ずつ遊技球を送り出すよう構成された遊技機における整流器に関する。
【背景技術】
【０００２】
例えば、パチンコ遊技機においては、多数の遊技球を貯留する球皿部から、遊技領域に向けて遊技球を発射させる球発射部へ、整流器を介して１球ずつ遊技球を供給している。この整流器は、球皿部における発射球供給通路に連通される整流通路と、この整流通路内に導入された遊技球を球発射部へ送り出すための球送り部材とを有している。また、球送り部材は、遊技球を１球ずつ保持するよう構成されており、電磁石又は永久磁石による磁力作用を受けて、保持した遊技球を球発射部へ送り出すよう構成されている。
【０００３】
また、例えば、特許文献１における打玉供給装置（整流器）においては、球発射部の打玉杆（打球ハンマー）の発射準備動作に連動する連動レバーを回動可能に設けると共に、供給制御部材（球送り部材）に係合ピンを形成している。この打玉供給装置においては、打玉杆が発射準備動作を行うと、連動レバーと係合ピンとが係合することにより、供給制御部材が遊技球を受け取り、次いで、打玉杆が発射動作を行うと、上記係合が解除されることにより、供給制御部材が遊技球を球発射部の発射レールに供給することができる。
これにより、打玉供給装置全体の構成を極めて簡易化し小型化することができる。
【０００４】
また、例えば、特許文献２における遊技球供給装置（整流器）においては、打撃槌（打球ハンマー）に作動部材を設けると共に球送り部材に受動部材を設け、作動部材及び受動部材に、同一極同士が対向するように永久磁石をそれぞれ設けている。そして、この遊技球供給装置においては、打撃槌が発射準備状態にあるときには、球送り部材がそのウェイトによって遊技球を受け取る位置に回動しており、次いで、打撃槌が発射動作を行うと、上記永久磁石同士の磁気反発力によって、球送り部材が遊技球を球発射部の発射レールに供給することができる。
これにより、打撃槌と球送り部材とを接触させることなく発射レールへ遊技球を１球ずつ供給することができ、円滑に打撃槌と球送り部材とを動作させることができる。
【０００５】
しかしながら、特許文献１の打玉供給装置においては、玉受皿（球皿部）の流出口から発射レールにおける遊技球の発射位置までの通路を著しく短縮させるために、供給制御部材は、発射レールに対して直交する方向、すなわちパチンコ遊技機の前後方向に向けて回動させるよう構成されている。そのため、例えば、打玉供給装置が、パチンコ遊技を行う遊技者等によって、パチンコ遊技機の正面から強い衝撃等を受けたときには、供給制御部材が誤って回動してしまうおそれがある。また、連動レバーと係合ピンとが係合するときには、これらが擦れ合うことになり、これらを円滑に動作させるためには十分ではない。
【０００６】
また、特許文献２における遊技球供給装置においては、打撃槌の作動部材及び球送り部材の受動部材の上下方向に対向して各永久磁石を設けている。そのため、球送り部材の回動量を大きくとる必要が生じてしまい、球送り部材を回動させるために強力な永久磁石が必要になってしまう。
【０００７】
【特許文献１】実公平４−３８８５９号公報
【特許文献２】特開平９−１０３８６号公報
【発明の開示】
【発明が解決しようとする課題】
【０００８】
本発明は、かかる従来の問題点に鑑みてなされたもので、球送り部材が誤って揺動することを防止できると共に、電磁石による磁気吸引力を小さくすることができ、円滑に球送り部材を揺動させることができる遊技機における整流器を提供しようとするものである。
【課題を解決するための手段】
【０００９】
本発明は、遊技球を貯留する球皿部から、遊技盤における遊技領域に向けて遊技球を発射させる球発射部へ、１球ずつ遊技球を供給するよう構成された遊技機における整流器であって、
該整流器は、上記球皿部から遊技球を導入するための球導入口と、上記球発射部へ遊技球を排出するための球排出口とを連通する整流通路と、
上記球導入口から導入された遊技球を受け取るための受取位置と、上記球排出口へ遊技球を送り出すための送出位置との間を揺動するよう構成された球送り部材と、
該球送り部材を揺動させるための電磁石とを有しており、
上記球送り部材は、上記揺動の支点となる揺動支点軸部と、上記整流通路の一部を形成する通路形成部とを有しており、該通路形成部は、上記球導入口から導入された遊技球の流下を、上記整流通路に形成された流下規制部と共に阻止する球待機面と、段差部を介して、上記球待機面よりも低い位置に形成された送出面とを有しており、
かつ、上記球送り部材は、上記揺動支点軸部の軸方向を、上記遊技機の前後方向に向けて上記整流器内に配設されていると共に、当該球送り部材の揺動方向に面した側面に磁性体を配設してなり、一方、上記電磁石は、上記磁性体に対して略水平方向に対向配設されていることを特徴とする遊技機における整流器にある（請求項１）。
【００１０】
本発明の整流器においては、上記球送り部材を電磁石による磁気吸引力を受けて揺動するよう構成しており、球送り部材を、外部からの衝撃等に強く、かつ小さな磁気吸引力により揺動できる工夫を行っている。
すなわち、本発明の球送り部材は、上記通路形成部によって上記整流通路の一部を形成して遊技球の送出が可能であり、通路形成部は、上記球待機面と、段差部を介して球待機面よりも低い位置に形成された上記送出面とを有している。また、球送り部材は、上記揺動支点軸部の軸方向が遊技機の前後方向に向けて形成されていることにより、遊技機の左右方向に向けて揺動が可能であり、揺動方向に面した側面に、電磁石による磁気吸引力を受ける磁性体を配設してなる。
【００１１】
そして、電磁石に通電を行っていないときには、球送り部材は、上記送出位置にあり、上記球導入口から整流通路内に導入された遊技球は、整流通路の流下規制部と球待機面とによって流下が阻止されている。このとき、球送り部材は、その揺動支点軸部が遊技機の前後方向に向けて形成されており、例えば、遊技を行う遊技者から遊技機の前後方向に強い衝撃等が加わっても、誤って上記受取位置へ揺動してしまうことが防止される。
【００１２】
そして、電磁石に通電を行ったときには、球送り部材は、電磁石による磁気吸引力を受けて上記送出位置から上記受取位置へ揺動し、流下規制部及び球待機面によって流下が阻止された遊技球は、球待機面から送出面へと流下し、送出面によって保持される。
ここで、球送り部材は、電磁石により略水平方向からの磁気吸引力を受けて揺動するよう構成されており、また、送出面は、段差部を介して球待機面よりも低い位置に形成されている。そのため、球送り部材を揺動させる揺動量をできるだけ小さくすることができ、球送り部材は、電磁石からの小さな磁気吸引力によっても容易に揺動することができる。
【００１３】
その後、再び電磁石への通電を解除したときには、球送り部材は、送出面に保持された遊技球の自重により受取位置から送出位置へ揺動し、当該遊技球は、上記球排出口へ向けて送り出され、上記球発射部へと供給される。
そのため、球送り部材は、遊技球の自重を利用して送出位置へ揺動することができ、遊技球が球待機面から送出面へ流下するときに、球送り部材に対する遊技球の自重が加わる位置の変化を利用して揺動することができる。そのため、遊技球が球待機面から送出面まで流下するまでの一瞬の間のみ、電磁石に通電を行うだけで、遊技球を球排出口へ送り出すことができる。
【００１４】
それ故、本発明の整流器によれば、球送り部材が誤って揺動することを防止できると共に、電磁石による磁気吸引力を小さくすることができ、円滑に球送り部材を揺動させることができる。
【発明を実施するための最良の形態】
【００１５】
上述した本発明における好ましい実施の形態につき説明する。
本発明において、上記球送り部材は、上記電磁石に通電を行っていないときには、上記送出位置にあると共に、上記整流通路における上記流下規制部及び上記通路形成部における上記球待機面によって遊技球の流下を阻止し、上記電磁石に通電を行ったときには、該電磁石による磁気吸引力を受けて上記受取位置へ揺動することにより、上記通路形成部における上記送出面に遊技球を受け取り、再び上記電磁石への通電を解除したときには、遊技球の自重により上記送出位置へ揺動することにより、上記通路形成部における上記送出面から上記球排出口へ向けて遊技球を送り出すよう構成することが好ましい。
【００１６】
また、上記球送り部材の上記通路形成部は、上記整流通路の底面の一部を形成するよう構成されており、上記整流通路の上記流下規制部は、上記球送り部材の上記通路形成部の上方に対向形成されていることが好ましい（請求項２）。
この場合には、通路形成部における球待機面と、流下規制部との位置関係が適切になり、球送り部材及び通路形成部の構造を簡単にすることができる。
【００１７】
また、上記整流通路の上記流下規制部は、上記球送り部材が上記受取位置にあるときには、上記送出面との間の最短距離が遊技球の直径よりも小さくなると共に、上記球待機面との間の最短距離が遊技球の直径よりも大きくなる位置であって、上記球送り部材が上記送出位置にあるときには、上記送出面との間の最短距離が遊技球の直径よりも大きくなると共に、上記球待機面との間の最短距離が遊技球の直径よりも小さくなる位置に形成されていることが好ましい（請求項３）。
この場合には、上記通路形成部における球待機面及び送出面と上記流下規制部との位置関係により、球送り部材の揺動量を一層小さくすることができる。そのため、球送り部材を、磁気吸引力の一層小さな電磁石を用いて揺動させることができる。
【００１８】
また、上記球待機面と上記送出面との間に形成された上記段差部の高低差は、遊技球の直径の１／２以下であることが好ましい（請求項４）。
この場合には、上記球待機面によって流下が阻止された遊技球が、上記送出面に流下する量を小さくできると共に、球送り部材の揺動量を一層小さくすることができる。また、この場合には、球導入口と球排出口との高低差を小さくすることもできる。
【００１９】
また、上記段差部の高低差が遊技球の直径の１／２よりも大きい場合には、球送り部材の揺動量を一層小さくすることが困難になるおそれがある。
また、上記段差部の高低差は、遊技球の直径の１／５以上であることが好ましい。この高低差が遊技球の直径の１／５未満である場合には、球待機面と送出面との間の高低差が小さすぎて、これらの機能を十分に果たせなくなるおそれがある。
【００２０】
また、上記球送り部材は、上記揺動支点軸部から上記通路形成部までの長さが該通路形成部の上記揺動方向における幅よりも長い棒形状を有しており、上記送出位置にあるときには、上記揺動方向における上記電磁石から離れる方向に傾斜して起立すると共に、上記受取位置にあるときには、略垂直方向に起立するよう構成されており、上記揺動支点軸部は、上記球送り部材の下端部に形成されていると共に、上記通路形成部は、上記球送り部材の上端部に形成されていることが好ましい。
【００２１】
この場合には、上記送出位置において傾斜して起立している球送り部材に対して、上記電磁石により略水平方向から磁気吸引力を作用させて、当該球送り部材を、略垂直方向に起立する上記受取位置へ揺動させることができる。これにより、球送り部材を揺動させるときの負荷を低減させることができ、一層小さな電磁石の磁気吸引力によっても、円滑に球送り部材を揺動させることができる。
【００２２】
また、上記整流通路は、上記球送り部材の上記通路形成部と上記球排出口とを連通する送出通路部を有しており、該送出通路部は、上記球送り部材の揺動方向に向けて形成されていることが好ましい。
この場合には、球送り部材が受取位置から送出位置へ揺動する勢いを利用して、遊技球を整流通路の送出通路部へと送り出すことができる。そのため、球送り部材は、球排出口に向けて一層円滑に遊技球を送り出すことができる。
【実施例】
【００２３】
以下に、本発明の遊技機における整流器にかかる実施例につき、図面と共に説明する。
本例の遊技機は、図１〜図５に示すごとく、パチンコ遊技機１であり、このパチンコ遊技機１における整流器４は、遊技球７を貯留する球皿部３から、遊技盤２２における遊技領域２２１に向けて遊技球７を発射させる球発射部２１へ、１球ずつ遊技球７を供給するよう構成されている。
上記整流器４は、以下の整流通路４１、球送り部材４２及び電磁石４３とを有して構成されている。
上記整流通路４１は、球皿部３から遊技球７を導入するための球導入口４１１と、球発射部２１へ遊技球７を排出するための球排出口４１２とを連通するよう形成されている。
【００２４】
上記球送り部材４２は、図２に示すごとく、球導入口４１１から導入された遊技球７を受け取るための受取位置４０１と、図３に示すごとく、球排出口４１２へ遊技球７を送り出すための送出位置４０２との間を揺動するよう構成されている。また、上記電磁石４３は、通電することにより、球送り部材４２を揺動させるための磁気吸引力を発生させるよう構成されている。
また、球送り部材４２は、図１に示すごとく、揺動の支点となる揺動支点軸部４２９と、整流通路４１の底面の一部を形成する通路形成部４２１とを有している。通路形成部４２１は、球導入口４１１から導入された遊技球７の流下を、整流通路４１に形成された流下規制部４１４と共に阻止する球待機面４２２と、段差部４２３を介して、球待機面４２２よりも低い位置に形成された送出面４２４とを有している。
【００２５】
また、球送り部材４２は、図１に示すごとく、電磁石４３に通電を行っていないときには、上記送出位置４０２にあると共に、通路形成部４２１における球待機面４２２と整流通路４１における流下規制部４１４とによって遊技球７の流下を阻止するよう構成されている。また、球送り部材４２は、図２に示すごとく、電磁石４３に通電を行ったときには、この電磁石４３による磁気吸引力を受けて上記受取位置４０１へ揺動することにより、通路形成部４２１における送出面４２４に遊技球７を受け取るよう構成されている。また、球送り部材４２は、図３に示すごとく、再び電磁石４３への通電を解除したときには、遊技球７の自重により上記送出位置４０２へ揺動することにより、通路形成部４２１における送出面４２４から球排出口４１２へ向けて遊技球７を送り出すよう構成されている。
【００２６】
さらに、球送り部材４２は、図１〜図４に示すごとく、揺動支点軸部４２９の軸方向を、パチンコ遊技機１の前後方向に向けて整流器４内に配設されており、当該球送り部材４２の揺動方向Ｐに面した側面に磁性体としての金属板４２５を配設してなる。
一方、電磁石４３は、金属板４２５に対して略水平方向に対向配設されており、球送り部材４２に対する略水平方向から磁気吸引力を発生させて、球送り部材４２を揺動させるよう構成されている。
なお、図１〜図３は、図４におけるＡ−Ａ矢視断面を示す説明図である。
以下に、これを詳説する。
【００２７】
図５に示すごとく、本例のパチンコ遊技機１は、このパチンコ遊技機１における外枠１１と、この外枠１１の前面側に配設した前枠（本体枠）２と、前枠２の前面側に開閉可能に配設したガラス扉２０と、前枠２の前面側に開閉可能に配設した球皿パネル３０とを有している。前枠２は、上記遊技領域２２１を形成する遊技盤２２、パチンコ遊技を制御する各種の制御装置及び各種の電気部品を配設してなるものである。また、ガラス扉２０は、プラスチック枠の内側にガラス板を配設してなるものである。また、上記球皿部３は、球皿パネル３０の前面側に形成されている。
【００２８】
図５に示すごとく、上記球皿部３は、遊技球７を貯留するための球貯留部３１と、球貯留部３１の下方に連通する発射球供給通路３２と、発射球供給通路３２を通過する遊技球７を球皿部３から外部に抜き出すための発射球抜き通路３２２と、球貯留部３１に貯留された遊技球７を球皿部３の外部へ抜き出すための球抜き通路３３とを有している。また、前枠２の裏面側には、所定数の遊技球７をカウントして払い出すよう構成された払出装置（図示略）が配設されており、上記球貯留部３１は、払出装置から払い出される遊技球７を受けるよう構成されている。
【００２９】
図４、図５に示すごとく、本例の球発射部２１は、前枠２に配設されており、整流器４の整流通路４１における球排出口４１２に対向配設された球発射レール２１２と、この球発射レール２１２の発射球着座位置２１３に配置された遊技球７を、上記遊技盤２２の遊技領域２２１に向けて発射させるための打球ハンマー２１１とを有している。
また、本例の打球ハンマー２１１は、上記球発射レール２１２の発射球着座位置２１３に配置された遊技球７を水平方向に近い傾斜方向に向けて発射させる水平発射形式のものであり、上記球発射レール２１２は、水平方向に対して若干傾斜して配設されている。
【００３０】
また、図４、図５に示すごとく、本例の発射球供給通路３２は、パチンコ遊技機１の前面側から見て右側に向けて形成されており、整流器４における整流通路４１は、パチンコ遊技機１の前面側から見て左側に向けて形成されている。
すなわち、整流器４を球皿部３における取付位置３０１に固定したときには、整流器４は、パチンコ遊技機１の右側から左側に向けて整流通路４１を形成しており、整流通路４１の球導入口４１１は、パチンコ遊技機１における前面側に位置していると共に、整流通路４１の球排出口４１２は、パチンコ遊技機１における裏面側に位置している。
なお、打球ハンマー２１１は、発射球保持部材（球発射レール）２１２に配置された遊技球７を略垂直方向に向けて発射させる垂直発射形式のものとすることもできる。
【００３１】
また、図４に示すごとく、本例の整流器４は、球皿部３の裏面側における取付位置３０１に取り付けられている。また、整流器４は、球皿部３の裏面側に対して開閉可能に取り付けられており、メンテナンス等を行うときには容易に開閉させることができる。
また、整流器４を球皿部３の取付位置３０１に取り付けたときには、整流器４の整流通路４１における球導入口４１１と、球皿部３の発射球供給通路３２における球出口３２１とが連通されるよう構成されている。
また、整流通路４１は、球送り部材４２の通路形成部４２１と球排出口４１２とを連通する送出通路部４１３を有している。この送出通路部４１３は、球送り部材４２の揺動方向Ｐに向けて形成されている。
【００３２】
図１に示すごとく、本例の球送り部材４２は、その揺動支点軸部４２９から通路形成部４２１までの長さが、通路形成部４２１の揺動方向Ｐにおける幅よりも長い棒形状を有している。そして、球送り部材４２は、上記送出位置４０２にあるときには、揺動方向Ｐにおける電磁石４３から離れる方向に傾斜して起立すると共に、上記受取位置４０１にあるときには、略垂直方向に起立するよう構成されている。
【００３３】
また、球送り部材４２の通路形成部４２１においては、球待機面４２２が整流通路４１の上流側（球導入口４１１の側）に形成されており、送出面４２４が整流通路４１の下流側（球排出口４１２の側）に形成されている。そして、金属板４２５は、整流通路４１の上流側に位置する球送り部材４２の側面に配設されている。また、金属板４２５は、球送り部材４２の側面において、揺動支点軸部４２９から通路形成部４２１までの全長における中央位置よりも揺動支点軸部４２９側の位置に形成されている。
また、揺動支点軸部４２９は、球送り部材４２の下端部に形成されていると共に、通路形成部４２１は、球送り部材４２の上端部に形成されている。そして、通路形成部４２１における球待機面４２２及び送出面４２４は、球送り部材４２の上面において形成されている。
【００３４】
一方、図１に示すごとく、本例の整流通路４１は、球送り部材４２の通路形成部４２１における球待機面４２２と共に遊技球７の流下を阻止することができる流下規制部４１４を有している。この流下規制部４１４は、球送り部材４２の通路形成部４２１の上方に対向形成されている。
また、本例においては、球送り部材４２の通路形成部４２１における球待機面４２２及び送出面４２４と、整流通路４１における流下規制部４１４との位置関係により、球送り部材４２の揺動量を小さくして、電磁石４３により発生させる磁気吸引力をできるだけ小さくすることができる工夫を行っている。
【００３５】
すなわち、図１に示すごとく、本例の球送り部材４２の通路形成部４２１においては、球待機面４２２と送出面４２４との間に形成された段差部４２３の高低差Ｈは、遊技球７の直径Ｄの２０〜５０％の大きさになるよう形成されている。具体的には、本例では、段差部４２３の高低差Ｈは、遊技球７の直径Ｄの２０〜２５％の大きさになるよう形成されている。
【００３６】
また、段差部４２３の高低差Ｈを小さくすることにより、球導入口４１１と球排出口４１２との高低差を小さくすることができる。
ところで、パチンコ遊技機１における球発射部２１の配設位置には、種々の制約があり、この配設位置は変更できないことが多い。このような場合において、球導入口４１１と球排出口４１２との高低差を小さくできることにより、球導入口４１１に連通する発射球供給通路３２の形成位置をできるだけ下方に移動させることができる。そのため、パチンコ遊技機１における球皿部３全体の配設位置も下げることができ、結果的に、遊技盤２２における遊技領域２２１を下方に拡大することができる。
【００３７】
また、図２に示すごとく、整流通路４１の流下規制部４１４は、球送り部材４２が受取位置４０１にあるときには、送出面４２４との間の最短距離Ｘ１が遊技球７の直径Ｄよりも小さくなると共に、球待機面４２２との間の最短距離Ｘ２が遊技球７の直径Ｄよりも大きくなる位置に形成されている。具体的には、本例の通路形成部４２１と流下規制部４１４とは、球送り部材４２が受取位置４０１にあるときには、流下規制部４１４と送出面４２４との間の最短距離Ｘ１が遊技球７の直径Ｄの０．８〜０．９５倍の長さになると共に、流下規制部４１４と球待機面４２２との間の最短距離Ｘ２が遊技球７の直径Ｄの１．０３〜１．２倍の長さになるよう構成されている。
【００３８】
また、図３に示すごとく、整流通路４１の流下規制部４１４は、球送り部材４２が送出位置４０２にあるときには、送出面４２４との間の最短距離Ｘ１が遊技球７の直径Ｄよりも大きくなると共に、球待機面４２２との間の最短距離Ｘ２が遊技球７の直径Ｄよりも小さくなる位置に形成されている。具体的には、本例の通路形成部４２１と流下規制部４１４とは、球送り部材４２が送出位置４０２にあるときには、流下規制部４１４と送出面４２４との間の最短距離Ｘ１が遊技球７の直径Ｄの１．０３〜１．２倍の長さになると共に、流下規制部４１４と球待機面４２２との間の最短距離Ｘ２が遊技球７の直径Ｄの０．８〜０．９５倍の長さになるよう構成されている。
【００３９】
また、図１に示すごとく、本例の整流通路４１、球導入口４１１及び球排出口４１２は、整流器４のハウジング４０に形成されており、球送り部材４２及び電磁石４３は、ハウジング４０内に配設されている。
また、球送り部材４２が電磁石４３の磁気吸引力を受けて上記受取位置４０１に揺動したときに、金属板４２５が着磁されてしまうことを防止するために、受取位置４０１において、電磁石４３と金属板４２５とは接触しないよう構成されている。本例では、球送り部材４２の通路形成部４２１における球待機面４２２側の端部には、電磁石４３と金属板４２５との接触を防止するための接触防止突起４２６が形成されている。
【００４０】
また、本例では、球送り部材４２は、その自重により送出位置４０２に維持されるよう構成した。これに対し、球送り部材４２は、ばね又は錘等を用いて送出位置４０２に維持されるよう構成することもできる。
また、本例においては、球導入口４１１は、整流器４の前面側に形成した。これに対し、球導入口４１１は、整流器４の側面側に形成することもできる。
【００４１】
また、図示は省略するが、整流器４には、この整流器４を球皿部３に対する取付位置３０１から取り外したとき又は移動させたときに、整流通路４１内に残留する遊技球７が、球導入口４１１又は球排出口４１２の少なくとも一方から流出することを防止するシャッター部材を配設することもできる。
【００４２】
次に、上記整流器４の整流動作及びその作用効果につき説明する。
図１に示すごとく、上記制御装置が電磁石４３への通電を行っていないときには、球送り部材４２は、その自重により上記送出位置４０２に維持されている。このとき、整流通路４１内における１つの遊技球７は、通路形成部４２１の球待機面４２２と、整流通路４１内の流下規制部４１４とに当接して、その流下が阻止されている。
そして、この状態において、球送り部材４２は、その揺動支点軸部４２９がパチンコ遊技機１の前後方向に向けて形成されており、例えば、遊技を行う遊技者からパチンコ遊技機１の前後方向に強い衝撃等が加わっても、誤って上記受取位置４０１へ揺動してしまうことが防止される。
【００４３】
次いで、図２に示すごとく、パチンコ遊技機１における制御装置が上記電磁石４３に通電を行ったときには、球送り部材４２は、電磁石４３の磁気吸引力により金属板４２５が引き寄せられて、上記受取位置４０１に揺動する。このとき、球待機面４２２によって流下が阻止された遊技球７は、球待機面４２２から送出面４２４へと流下し、送出面４２４上に載置保持される。
また、球送り部材４２は、電磁石４３により略水平方向からの磁気吸引力を受けて揺動する。
【００４４】
そして、球送り部材４２が送出位置４０２から受取位置４０１に揺動するときには、流下規制部４１４と送出面４２４との間の最短距離Ｘ１は、遊技球７の直径Ｄの１．０３〜１．２倍の長さから遊技球７の直径Ｄの０．８〜０．９５倍の長さに変化するのみであり、一方、流下規制部４１４と球待機面４２２との間の最短距離Ｘ２は、遊技球７の直径Ｄの０．８〜０．９５倍の長さから遊技球７の直径Ｄの１．０３〜１．２倍の長さに変化するのみである。
そのため、球送り部材４２の揺動量を極めて小さくすることができる。具体的には、球送り部材４２は、６〜１０°の角度を揺動するだけで、送出位置４０２と受取位置４０１との間を揺動することができる。
【００４５】
次いで、図３に示すごとく、上記制御装置が電磁石４３への通電を解除したときには、球送り部材４２は、遊技球７の自重により上記送出位置４０２に揺動する。このとき、上記通路形成部４２１の送出面４２３に載置された遊技球７が、上記球排出口４１２に向けて送り出される。
そして、遊技球７は、球排出口４１２から球発射部２１における送出通路２１３を通過して球発射レール２１２上に配置される。この状態で、制御装置が、打球ハンマー２１１を動作させたときには、球発射レール２１２上に配置された遊技球７が、遊技盤２２の遊技領域２２１に向けて発射される。
【００４６】
その後、図２に示すごとく、パチンコ遊技機１における制御装置が再び電磁石４３に通電を行ったときには、球送り部材４２が再び受取位置４０１に揺動し、上記球排出口４１２へ送り出された遊技球７に隣接して整流通路４１内に導入された次の遊技球７が上記通路形成部４２１の送出面４２３に載置される。
以降は、上記と同様にして、制御装置が電磁石４３の通電及びその解除を繰り返すことにより、球送り部材４２は、整流通路４１内の遊技球７を１球ずつ上記球発射レール２１２へ供給することができる。
【００４７】
このように、球送り部材４２は、遊技球７の自重を利用して送出位置４０２へ揺動することができ、遊技球７が球待機面４２２から送出面４２４へ流下するときに、球送り部材４２に対する遊技球７の自重が加わる位置の変化を利用して揺動することができる。そのため、遊技球７が球待機面４２２から送出面４２４まで流下するまでの一瞬の間のみ、電磁石４３に通電を行うだけで、遊技球７を球排出口４１２へ送り出すことができる。
それ故、本例の整流器４によれば、球送り部材４２が誤って揺動することを防止できると共に、電磁石４３による磁気吸引力を小さくすることができ、円滑に球送り部材４２を揺動させることができる。
【図面の簡単な説明】
【００４８】
【図１】実施例における、送出位置にある球送り部材が遊技球の流下を阻止している状態の整流器を示す断面説明図。
【図２】実施例における、受取位置にある球送り部材が遊技球を受け取った状態の整流器を示す断面説明図。
【図３】実施例における、送出位置にある球送り部材が遊技球を送り出した状態の整流器を示す断面説明図。
【図４】実施例における、球皿部の裏面側に配設された整流器を、パチンコ遊技機の上方から見た状態で示す断面説明図。
【図５】実施例における、球発射部、球皿部及び整流器を、パチンコ遊技機の前面から見た状態で示す断面説明図。
【符号の説明】
【００４９】
１  パチンコ遊技機
２  前枠
２１  球発射部
３  球皿部
４  整流器
４１  整流通路
４１１  球導入口
４１２  球排出口
４１３  送出通路部
４１４  流下規制部
４２  球送り部材
４０１  受取位置
４０２  送出位置
４２１  通路形成部
４２２  球待機面
４２３  段差部
４２４  送出面
４２５  金属板
４２９  揺動支点軸部
４３  電磁石（磁性体）
７  遊技球
Ｐ  揺動方向
Ｈ  高低差
【図１】
2005334152.tif 000003
【図２】
2005334152.tif 000004
【図３】
2005334152.tif 000005
【図４】
2005334152.tif 000006
【図５】
2005334152.tif 000007